(57)【要約】【課題】  表示付きフロアマットにおいて、室内照明の家具等による遮蔽の排除等を考慮する必要がなく、付近に室内照明と別に光源を設けなくても、表示をはっきり見ることができること。停電時等にも表示が確実に見え、安全、宣伝等の目的が達せられること。【解決手段】  表示（印刷層）５、可撓性の光源３、光源３のための独立の駆動電源（電源部）９を具えるフロアマット。【選択図】  図１
2006116265.tif 000002
【特許請求の範囲】
【請求項１】
文字、図形等の表示と可撓性の光源とを具えるフロアマット。
【請求項２】
前記光源の少なくとも一部が前記表示の少なくとも一部を構成する、請求項１のフロアマット。
【請求項３】
前記表示を表面に有する、請求項１のフロアマット。
【請求項４】
前記表示を内部に有し、対応する部分の表面付近が透明又は半透明である、請求項１のフロアマット。
【請求項５】
前記光源を内部に有し、前記表示が背面から照明される、請求項１、３又は４のフロアマット。
【請求項６】
前記光源が前記表示により覆われない、請求項２のフロアマット。
【請求項７】
屋外の通路で使用される、請求項１のフロアマット。
【請求項８】
文字、図形等の表示と、可撓性の光源と、この光源のための独立の駆動電源とを具えるフロアマット
【請求項９】
前記駆動電源が前記フロアマットの内部に設けられた、請求項８のフロアマット。
【請求項１０】
前記駆動電源が前記フロアマットの裏面又は端部に接して設けられた、請求項８のフロアマット。
【請求項１１】
前記フロアマットが補強部材又は固定部材を有し、前記駆動電源が前記補強部材又は固定部材に収容され又は付属して設けられた、請求項８のフロアマット。
【請求項１２】
前記光源の少なくとも一部が前記表示の少なくとも一部を構成する、請求項８のフロアマット。
【請求項１３】
前記表示を表面に有する、請求項８のフロアマット。
【請求項１４】
前記表示を内部に有し、対応する部分の表面付近が透明又は半透明である、請求項８のフロアマット。
【請求項１５】
前記光源を内部に有し、前記表示が背面から照明される、請求項８、１３又は１４のフロアマット。
【請求項１６】
屋外で使用される、請求項８のフロアマット。
【発明の詳細な説明】
【発明の詳細な説明】
【技術分野】
【０００１】  本発明はフロアマットに関し、特に暗所でも表示等を認識できる表示つきフロアマットに関する。
【背景技術】
【０００２】  室内、特に出入り口付近の床面に、方向、注意事項、警告、広告等を表示したフロアマットを設置して、その表示により案内、安全、宣伝等の目的に用いることがある。非常時の避難誘導のような安全確保を目的とする場合も少なくない。屋外の通路等で同様の目的に使用されるものもある。【０００３】  フロアマットは一般に、その移動等の取り扱いの便宜のため、少なくとも一方向について可撓性（フレキシブル）のものとされる。
【発明が解決しようとする課題】
【０００４】  しかし、フロアマット上に設けた方向、注意事項、警告、広告等の表示は、室内が暗いと見えなくなり、表示の目的を達することができない。一般には、室内が照明されることによりその表示を視認できるが、停電等の非常事態の下では表示が見えなくなり、安全の確保等が困難になる。室内照明とは別に、非常用電源を具えた光源をフロアマットに近い天井や壁面に設けておけば、安全の確保は可能である。
【０００５】  フロアマットを透明または半透明のものとし、床面の下に照明光源を設けて、フロアマットの下から照明することは可能である。この場合も、停電等に備えて室内照明とは別の非常用電源を具えた光源を用いれば、安全は確保できる。
【０００６】  しかし、フロアマットに近い天井や壁面、又はフロアマットの下の床に、室内照明とは別に余分の光源を設けることは、建物の設備コストを増大させ、光源とマットの間の位置関係等の物理的制約があることも多い（例えば、家具、什器、樹木等による遮蔽）。
【０００７】  本発明の目的は、位置関係等の物理的制約を伴い、またコストを増大させる、室内又は屋外照明以外の余分の光源を設置しないでも、また暗い所でも、方向、注意事項、警告、広告等の表示が確実に視認でき、案内、安全、宣伝等の目的を達することが可能な、表示を有するフロアマットを実現することにある。
【０００８】  本発明の別の目的は、停電時など室内又は屋外照明が確保できないときや暗い所でも、方向、注意事項、警告、広告等の表示が確実に視認でき、案内、安全、宣伝等の目的を達することが可能な、表示を有するフロアマットを実現することにある。
【課題を解決するための手段】
【０００９】  本発明の上記目的は、文字、図形等の表示と可撓性の光源を具えるフロアマットにより、達成された。特に、文字、図形等の表示と、可撓性の光源と、この光源のための、独立の駆動電源とを有するフロアマットにより、なお効果的に達成された。「独立の」とは「室内又は屋外照明用とは別」との意味であり、複数のフロアマットをそれらに共通の電源で駆動する場合もそれに含まれる。
【００１０】  フロアマットは、それ自体が少なくとも一方向について可撓性であることを前提とする。一方向だけに可撓性の、すだれ状のものであってもよい。本発明でフロアマットとは、屋内用のものに限らず、屋外の通路や道路で使用するものも含む。
【００１１】  表示は、文字でも、図形でも、またその組み合わせのいずれでもよい。表示はフロアマットの表面にあっても、内部にあってもよく、内部にある場合は外部から視認できるよう、対応する表面付近は透明または半透明であることを要する。表示がフロアマットの表面にある場合にも、フロアマットは透明または半透明であってもよい。
【００１２】  光源はフロアマットの表面にあっても、内部にあってもよい。内部にある場合は、対応する表面付近は透明または半透明とする。表示の背面から照明してもよく、表示以外の部分を照明して、表示を浮き立たせるのでもよい。
【００１３】  可撓性の光源としては、特開平９−２５０００９号に記載されたＥＬランプ、特開２０００−１２２１３号に記載された有機エレクトロルミネッセンス素子、特開２００２−２５８７７６号に記載された繊維状蛍光体から成る織物状表示装置、特開２００３−８４６９７号に記載された有機エレクトロルミネッセンス素子またはエレクトロクロミック素子から成る表示体、特開２００３−１００４４３号に記載された有機薄膜発光素子等のうちから、適宜に選択して用いることができる。特開２００３−３２３１２８号に記載された電光表示板を用いることもできる。可撓性のエレクトロルミネッセンス光源は、実用上有用である。
【００１４】  非常時の安全確保のためには、一般電源が停電しても表示が視認できるよう、可撓性の光源は、室内照明用の電源と別の専用電源により駆動されることが好ましく、その観点で、フロアマットはそれ自体に光源駆動用の電源を具えていることが好ましい。光源駆動用の電源は、フロアマットの内部に設けるほか、マットの裏面や端部に接して設けてもよい。例えばマットの端に連結される補強部材やマット固定部材の中等に光源駆動用電源を設けてもよい。非常時の停電に対する安全確保の目的ばかりでなく、屋外の通路等に設置されるマットでは、独立電源を有することにより、屋内照明を消してもマットの存在とマット上の表示が視認できる。
【００１５】  光源駆動用電源の構成は、用いる光源の種類により異なるが、それぞれの光源装置について開示された、例えば前記各公報の記載を参照すれば、容易に選択、決定できる。
【発明を実施するための最良の形態】
【００１６】  図１に本発明によるフロアマットを示す。図１（Ａ）は、図１（Ｂ）中の線分Ｃ−Ｃに沿った断面を示す。フロアマット１は、支持体層２、膜状の光源３、半透明の緩衝屠４、印刷層５、保護層６、保護層７を有する。どの層も可撓性で、フロアマット１は全体として可撓性の積層体である。フロアマット１の一辺に棒状の補強材８が設けられ、電源部９が収容されている。【００１７】  図２は補強材８の構成を示す。補強材８には電源部９が収容され、電源部９は電池９ａと変換回路９ｂとで構成される。【００１８】  支持体層２は最も厚く緩衝性で、それ自体でもフロアマットとして用い得る。光源３は可撓性のエレクトロルミネッセンス光源であり、図示しない配線を介して変換回路８ｂに接続されている。【００１９】  図１（Ｂ）に示すように、印刷層５には文字と図形から成る所要の表示が印刷されている。緩衝層４は光源３と印刷層５の間に介在し、印刷層５は半透明の緩衝層４を介して光源３からの光により照明される。【００２０】  保護層６と保護層７は可撓性かつ防水性で、両者は外周で水密かつ気密に結合され、フロアマット１内部の支持体層２から印刷層５に至る各層を、外部からの水分や衝撃から保護する。保護層６は透明であることが好ましいが、印刷層５の表示を隠さない限度において半透明でもよい。【００２１】  印刷層５および保護層６，７は、例えばポリエチレンで成り、緩衝層４および印刷層５は、例えばポリプロピレンで成る。【００２２】  電池９ａと変換回路９ｂは、光源３を駆動する電源部９を構成する。電池９ａは変換回路９ｂに接続され、所要の電圧、周波数の電力が変換回路９ｂから光源３に供給される。【００２３】  フロアマット１の動作を以下に説明する。電池９ａと変換回路９ｂで構成される電源部により駆動されて光源３が発光する。この発光により、半透明の緩衝層４を介して印刷層５が照明され、周囲が暗くても印刷層５上の表示は、透明な保護層６を介して視認できる。【００２４】  故障、災害等により一般電源が停電して、室内又は屋外の照明が失われても、フロアマット１は独立の電源を有するので、光源３の発光による印刷層５上の表示が周囲の暗黒の中でも視認できる。光源３は防水性の保護層６、緩衝層４および印刷層５により、外部からの水分および加重から保護される。【００２５】  図３は本発明によるフロアマットの別の形態を示す。フロアマット１１は、支持体層２、光源３、緩衝層４、印刷層５、保護層６、保護層７から成り、フロアマット１と基本的に同様である。補強材１２はコネクタ１３を具え、電源ユニット１５が配線１４を介してコネクタ１３に接続されている。電源ユニット１５は例えば充電可能な電池で構成される。【００２６】  図４は本発明によるフロアマットの他の形態を示す。図４（Ａ）は図４（Ｂ）中の線分Ｃ’−Ｃ’に沿った断面を示す。フロアマット２１は、支持体層２２、光源２３、緩衝層２４、保護層２６、保護層２７、補強材２８から成る。補強材２８には電源部２９が収容され、電源部２９は電池２９ａと変換回路２９ｂで構成される。【００２７】  支持体層２２は暗い色にしてあり、支持体層２２の上に光源２３が、所要の図形に従って配置されている。従って、光源２３が発光すると、支持体層２２を背景として表示体の機能をもつ。【００２８】  保護層２６と保護層２７は可撓性かつ防水性で、両者は外周で水密かつ気密に結合され、支持体層２２と光源２３を外部からの水分と衝撃から保護する。保護層２６は透明である。【００２９】  緩衝層２４は、保護層２６と支持体層２２及び光源２３の間に介在し、後者を衝撃から保護する。【００３０】  電源部２９は電池２９ａと変換回路２９ｂで構成され、電池２９ａに接続された変換回路２９ｂから、所要の電圧、周波数の電力が光源２３に供給される。【００３１】  フロアマット２１の動作を以下に説明する。光源２３が電源部２９により駆動されて発光する。所要の図形に従って配置された光源３の発光は、支持体層２２が背景となり、周囲が暗くても透明な保護層６を介して視認できる。【００３２】  故障、災害等により一般電源が停電して、室内又は屋外の照明が失われても、フロアマット２１は独立の電源を有するので、光源２３の発光が支持体層２２を背景として周囲の暗黒の中でも視認できる。光源２３は防水性の保護層２６と緩衝層２４により、外部からの水分および加重から保護される。
【発明の効果】
【００３３】  本発明のフロアマットは、表示と可撓性の光源とを具えるので、表示を確実に見るために、室内照明の配光や、什器、家具等による遮蔽の排除等を考慮する必要がない。またフロアマットに近い天井や壁面、あるいはフロアマットの下の床等に、室内照明と別の光源を設けなくても、表示を見ることができる。室内照明と別の光源を設ける必要がないので、建物の設備コストも軽減される。
【００３４】  本発明のフロアマットは表示と可撓性の光源と、この光源のための独立の駆動電源とを具えるので、室内照明その他の光源の設置を必要としないから、無配電地帯や停電時等、室内照明が確保できないときや周囲が暗いときにも、方向、注意事項、警告、広告等の表示が確実に視認でき、安全、宣伝等の目的を達することができる。また、室内照明に対する位置関係を考慮する必要がなく、かつ建物の設備コストも軽減される。
【図面の簡単な説明】
【００３５】
【図１】  本発明によるフロアマットを示す（Ａ）断面図、（Ｂ）平面図。
【図２】  補強材の構成を示す説明図。
【図３】  本発明によるフロアマットの断面図。
【図４】  本発明によるフロアマットの（Ａ）断面図、（Ｂ）平面図。
【符号の説明】
１          フロアマット
２，２２    支持体層
３          光源
４，２４    緩衝層
５          印刷層
６，２６    保護層
７，２７    保護層
８，２８    補強材
９，２９    電源部
９ａ，２９ａ  電池
９ｂ，２９ｂ  変換回路
１１  フロアマット
１２  補強材
１３  コネクタ
１４  配線
１５  電源ユニット
２１  フロアマット
２３  光源
【図１】
2006116265.tif 000003
【図２】
2006116265.tif 000004
【図３】
2006116265.tif 000005
【図４】
2006116265.tif 000006